(57)【要約】【課題】脚回りの締め付けが軽減された使い捨てパンツ型おむつを提供する。【解決手段】使い捨てパンツ型おむつ１には、股部を横断し、脚開口部の前側の縁に沿って前側胴部Ｐと後側胴部Ｑの接合部１１まで延びる前側脚部弾性部材１４と、股部を横断し、脚開口部の後側の縁に沿って前記接合部１１まで延びる後側脚部弾性部材１５とが設けられ、前側脚部弾性部材１４は、一方側の脚開口部の縁に沿って延びる前側第１部分１４Ａと、吸収体１０と重なる前側第２部分１４Ｂと、他方側の脚開口部の縁に沿って延び前側第３部分１４Ｃとを有し、前側第１部分１４Ａと前側第３部分１４Ｃが複数箇所で分断されて断続的に設けられ、前側第１部分１４Ａと前側第３部分１４Ｃはそれぞれ、接合部近傍部１６において、それよりも前側第２部分１４Ｂ側であって幅方向ｘに対して３５°以上の角度で配された傾斜延在部１７よりも、長いピッチで設けられている。【選択図】図４
2019205545.tif 000002
【特許請求の範囲】
【請求項１】
前側胴部と後側胴部とこれらの間に位置する股部とを有し、前側胴部と後側胴部とが接合されることによりウェスト開口部と一対の脚開口部とを有するパンツ形状に形成された使い捨てパンツ型おむつであって、
前記おむつには、股部に吸収体が設けられるとともに、股部を横断し、脚開口部の前側の縁に沿って前側胴部と後側胴部の接合部まで延びる前側脚部弾性部材と、股部を横断し、脚開口部の後側の縁に沿って前側胴部と後側胴部の接合部まで延びる後側脚部弾性部材とが設けられ、
前側脚部弾性部材は、一方側の脚開口部の縁に沿って延び、前記吸収体と重ならない前側第１部分と、前記吸収体と重なる前側第２部分と、他方側の脚開口部の縁に沿って延び、前記吸収体と重ならない前側第３部分とを有しており、前側第１部分と前側第３部分が複数箇所で分断されて断続的に設けられ、
前側第１部分と前側第３部分はそれぞれ、前記接合部から５０ｍｍ以内の部分において、それよりも前側第２部分側であっておむつ幅方向に対して３５°以上の角度で配された傾斜延在部よりも、長いピッチで設けられていることを特徴とする使い捨てパンツ型おむつ。
【請求項２】
前側脚部弾性部材は、前側第１部分の傾斜延在部と前側第３部分の傾斜延在部において、それぞれ平均３ｍｍ〜２０ｍｍのピッチで設けられている請求項１に記載の使い捨てパンツ型おむつ。
【請求項３】
前側脚部弾性部材は、前側第２部分が複数箇所で分断されて断続的に設けられている請求項１または２に記載の使い捨てパンツ型おむつ。
【請求項４】
前側脚部弾性部材は、前側第２部分の両端において、おむつ幅方向に対して３０°以下の角度となるように配されている請求項１〜３のいずれか一項に記載の使い捨てパンツ型おむつ。
【請求項５】
前側第１部分と前側第３部分はそれぞれ、傾斜延在部よりも前側第２部分側が、傾斜延在部よりも長いピッチで設けられている請求項４に記載の使い捨てパンツ型おむつ。
【請求項６】
後側脚部弾性部材は、一方側の脚開口部の縁に沿って延び、前記吸収体と重ならない後側第１部分と、前記吸収体と重なる後側第２部分と、他方側の脚開口部の縁に沿って延び、前記吸収体と重ならない後側第３部分とを有しており、後側第１部分と後側第３部分が複数箇所で分断されて断続的に設けられている請求項１〜５のいずれか一項に記載の使い捨てパンツ型おむつ。
【請求項７】
後側弾性部材は、後側第１部分と後側第３部分において、前記接合部から５０ｍｍ以内の部分が、それよりも後側第２部分側であっておむつ幅方向に対して３５°以上の角度で配された傾斜延在部よりも、長いピッチで設けられている請求項６に記載の使い捨てパンツ型おむつ。
【請求項８】
後側脚部弾性部材は、後側第１部分の傾斜延在部と後側第３部分の傾斜延在部において、それぞれ平均３ｍｍ〜２０ｍｍのピッチで設けられている請求項６または７に記載の使い捨てパンツ型おむつ。
【請求項９】
後側脚部弾性部材は、後側第２部分が複数箇所で分断されて断続的に設けられている請求項６〜８のいずれか一項に記載の使い捨てパンツ型おむつ。
【発明の詳細な説明】
【技術分野】
【０００１】
本発明は、パンツ型の使い捨ておむつに関するものである。
【背景技術】
【０００２】
従来、ウェスト開口部と一対の脚開口部を有するパンツ形状に形成された使い捨てパンツ型おむつが広く知られている（例えば、特許文献１〜５）。
【先行技術文献】
【特許文献】
【０００３】
【特許文献１】特開平８−２８０７３９号公報
【特許文献２】特開２００４−０４９７６３号公報
【特許文献３】特開２００４−２９８３９５号公報
【特許文献４】特開２００５−０８７６２２号公報
【特許文献５】特開２０１４−１８０３４６号公報
【発明の概要】
【発明が解決しようとする課題】
【０００４】
使い捨てパンツ型おむつには、脚開口部の縁に沿って脚部弾性部材が設けられることが多く、この脚部弾性部材の収縮力によっておむつの脚開口部の縁に沿ったギャザーが形成され、着用者の脚回りのフィット性を高めることができる。一方で、使い捨てパンツ型おむつを長時間着用する場合など、着用者によっては、脚部弾性部材による締め付けが強く感じられることがある。本発明は前記事情に鑑みてなされたものであり、その目的は、脚回りの締め付けが軽減された使い捨てパンツ型おむつを提供することにある。
【課題を解決するための手段】
【０００５】
前記課題を解決することができた本発明の使い捨てパンツ型おむつとは、前側胴部と後側胴部とこれらの間に位置する股部とを有し、前側胴部と後側胴部とが接合されることによりウェスト開口部と一対の脚開口部とを有するパンツ形状に形成された使い捨てパンツ型おむつであって；おむつには、股部に吸収体が設けられるとともに、股部を横断し、脚開口部の前側の縁に沿って前側胴部と後側胴部の接合部まで延びる前側脚部弾性部材と、股部を横断し、脚開口部の後側の縁に沿って前側胴部と後側胴部の接合部まで延びる後側脚部弾性部材とが設けられ；前側脚部弾性部材は、一方側の脚開口部の縁に沿って延び、吸収体と重ならない前側第１部分と、吸収体と重なる前側第２部分と、他方側の脚開口部の縁に沿って延び、吸収体と重ならない前側第３部分とを有しており、前側第１部分と前側第３部分が複数箇所で分断されて断続的に設けられ；前側第１部分と前側第３部分はそれぞれ、接合部から５０ｍｍ以内の部分（接合部近傍部）において、それよりも前側第２部分側であっておむつ幅方向に対して３５°以上の角度で配された傾斜延在部よりも、長いピッチで設けられているところに特徴を有する。
【０００６】
本発明の使い捨てパンツ型おむつは、前側脚部弾性部材の前側第１部分と前側第３部分が複数箇所で分断されて断続的に設けられているため、着用者の脚回り、特にそけい部での締め付けが緩和され、おむつ着用の際に、脚開口部回りの着用感を向上することができる。また、前側脚部弾性部材が断続的に設けられた部分には一定の剛性が付与されるため、当該部分の伸縮力が軽減されていても、おむつのパンツ形状が好適に維持される。そして、前側第１部分と前側第３部分は、接合部近傍部において傾斜延在部よりも長いピッチで設けられているため、使い捨てパンツ型おむつは、着用の際に脚開口部の縁のそけい部近傍が接合部に向かって引っ張られ、そけい部での締め付けを軽減しつつ、当該部分でのフィット性を高めることができる。
【０００７】
前側脚部弾性部材は、前側第１部分の傾斜延在部と前側第３部分の傾斜延在部において、それぞれ平均３ｍｍ〜２０ｍｍのピッチで設けられていることが好ましい。前側脚部弾性部材が傾斜延在部においてこのようなピッチで設けられていれば、おむつのそけい部での締め付けを軽減しつつ、当該部分に適度な剛性が付与され、おむつをパンツ形状に好適に維持しやすくなる。
【０００８】
前側脚部弾性部材は、前側第２部分が複数箇所で分断されて断続的に設けられていることが好ましい。これにより、前側脚部弾性部材の収縮力により吸収体が歪むことが抑えられ、吸収体の着用者の股間へのフィット性を高めることができる。
【０００９】
前側脚部弾性部材は、前側第２部分の両端において、おむつ幅方向に対して３０°以下の角度となるように配されていることが好ましい。このように前側第２部分が設けられていれば、前側脚部弾性部材の収縮力によって、吸収体がおむつ幅方向に対して広がるように形成されやすくなる。この場合、前側第１部分と前側第３部分はそれぞれ、傾斜延在部よりも前側第２部分側が、傾斜延在部よりも長いピッチで設けられることが好ましく、これにより、前側第１部分と前側第３部分の前側第２部分に近い部分の収縮力がより強く発揮されやすくなる。
【００１０】
後側脚部弾性部材は、一方側の脚開口部の縁に沿って延び、吸収体と重ならない後側第１部分と、吸収体と重なる後側第２部分と、他方側の脚開口部の縁に沿って延び、吸収体と重ならない後側第３部分とを有しており、後側第１部分と後側第３部分が複数箇所で分断されて断続的に設けられていることが好ましい。これにより、おむつの着用者の臀部での締め付けが緩和され、おむつの着用感を向上することができる。
【００１１】
後側弾性部材は、後側第１部分と後側第３部分において、接合部から５０ｍｍ以内の部分が、それよりも後側第２部分側であっておむつ幅方向に対して３５°以上の角度で配された傾斜延在部よりも、長いピッチで設けられていることが好ましい。このように後側第１部分と後側第３部分が構成されることにより、傾斜延在部が接合部側に引っ張られ、おむつの着用者の臀部での締め付けを緩和しつつ、当該部分での着用者の臀部へのフィット性を高めることができる。
【００１２】
後側脚部弾性部材は、後側第１部分の傾斜延在部と後側第３部分の傾斜延在部において、それぞれ平均３ｍｍ〜２０ｍｍのピッチで設けられていることが好ましい。後側脚部弾性部材が傾斜延在部においてこのようなピッチで設けられていれば、おむつの臀部での締め付けを軽減しつつ、当該部分に適度な剛性が付与され、おむつがパンツ形状に好適に維持されやすくなる。
【００１３】
後側脚部弾性部材は、後側第２部分が複数箇所で分断されて断続的に設けられていることが好ましい。これにより、後側脚部弾性部材の収縮力により吸収体が歪むことが抑えられ、吸収体の着用者の股間へのフィット性を高めることができる。
【発明の効果】
【００１４】
本発明の使い捨てパンツ型おむつは、前側脚部弾性部材の脚開口縁に沿った部分が複数箇所で分断されて断続的に設けられているため、着用者の脚回り、特にそけい部での締め付けが緩和されたものとなり、おむつ着用の際に、脚開口部回りの着用感を向上することができる。また、前側脚部弾性部材の前側胴部と後側胴部との接合部付近が長いピッチで設けられているため、脚開口部の縁のそけい部近傍が接合部に向かって引っ張られる形となり、そけい部での締め付けを緩和しつつ、当該部分でのたるみを抑えて着用者の肌へのフィット性を高めることができる。
【図面の簡単な説明】
【００１５】
【図１】使い捨てパンツ型おむつの斜視図を表す。
【図２】図１に示した使い捨てパンツ型おむつの前側胴部と後側胴部との接合を解いて展開した状態を肌面側から見た平面図を表す。
【図３】図２に示した使い捨てパンツ型おむつのＩＩＩ−ＩＩＩ断面図を表す。
【図４】図２に示した展開状態の使い捨てパンツ型おむつにおいて、主に脚部弾性部材と吸収体の配置を示した図を表す。
【発明を実施するための形態】
【００１６】
本発明の使い捨てパンツ型おむつについて、図面を参照して説明する。なお本発明は、図面に示された実施態様に限定されるものではない。図１〜図３には、本発明の使い捨てパンツ型おむつの一例を示した。図１は使い捨てパンツ型おむつの斜視図を表し、図２は、図１に示した使い捨てパンツ型おむつの前側胴部と後側胴部との接合を解いて平面に展開した状態を肌面側から見た図を表し、図３は、図２に示した使い捨てパンツ型おむつのＩＩＩ−ＩＩＩ断面図を表す。なお図面では、矢印ｘがおむつ幅方向、矢印ｙがおむつ前後方向を表し、矢印ｘ，ｙにより形成される面に対して垂直方向がおむつ厚み方向ｚを表す。また本発明において、おむつ幅方向、おむつ前後方向、おむつ厚み方向を、単に幅方向、前後方向、厚み方向と称する場合がある。
【００１７】
使い捨てパンツ型おむつ１は、前側胴部Ｐと後側胴部Ｑとこれらの間に位置する股部Ｒとを有し、ウェスト開口部３と一対の脚開口部４を有するパンツ形状に形成されたものである。ウェスト開口部３は着用者の胴を通すための開口であり、脚開口部４は着用者の脚を通すための開口である。前側胴部Ｐは、おむつを着用の際に着用者の腹側に当てる部分に相当し、後側胴部Ｑは、おむつを着用の際に着用者の背側に当てる部分に相当する。使い捨てパンツ型おむつ１において、前側胴部Ｐと後側胴部Ｑはウェスト開口部３と脚開口部４の間に位置する部分に相当する。股部Ｒは、前側胴部Ｐと後側胴部Ｑとの間に位置し、着用者の股間に当てる部分に相当する。股部Ｒは一対の脚開口部４の間に位置し、幅方向ｘの両側で互いに接合されない。使い捨てパンツ型おむつ１は、前側胴部Ｐと後側胴部Ｑが接合部１１で接合されることによりウェスト開口部３と一対の脚開口部４が形成される。接合部１１は、例えば、前側胴部Ｐと後側胴部Ｑの幅方向ｘの両側を熱融着により互いに接合することにより形成される。
【００１８】
使い捨てパンツ型おむつ１において、前後方向ｙは、おむつを着用した際に着用者の股間の前後方向に延びる方向に相当する。幅方向ｘは、使い捨てパンツ型おむつ１と同一面上にあり前後方向ｙと直交する方向を意味し、おむつを着用した際の着用者の左右方向に相当する。使い捨てパンツ型おむつ１はまた、肌面側と外面側を有する。肌面側とは、おむつを着用した際の着用者の肌に向く側を意味し、外面側とは、おむつを着用した際の着用者とは反対に向く側を意味する。
【００１９】
使い捨てパンツ型おむつ１には、股部Ｒに吸収体１０が設けられる。吸収体１０は、少なくとも股部Ｒに存在すればよく、さらに前側胴部Ｐおよび／または後側胴部Ｑに延在してもよい。図面に示した使い捨てパンツ型おむつ１では、パンツ形状に形成された外装部材２の肌面側に、トップシート８とバックシート９の間に吸収体１０が配された吸収性本体７が設けられている。トップシート８は吸収体１０の肌面側に配され、バックシート９は吸収体１０の外面側に配される。なお、図面には示していないが、吸収体は、パンツ形状に形成された積層体の層間に配されるものであってもよい。
【００２０】
吸収性本体７は、おむつ１の少なくとも股部に配され、さらに前側胴部Ｐおよび／または後側胴部Ｑに延在してもよい。外装部材２は、基本的に、吸収性本体７よりも幅方向ｘの外方に延在している。外装部材２はまた、吸収性本体７よりも前後方向ｙの外方に延在していることが好ましい。
【００２１】
トップシート８は液透過性であることが好ましく、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート８として、織布、編布、有孔プラスチックフィルム等を用いてもよい。
【００２２】
バックシート９は液不透過性であることが好ましく、例えば、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００２３】
トップシート８やバックシート９が不織布から構成される場合、不織布としては、スパンボンド不織布、エアスルー不織布、ポイントボンド不織布、メルトブロー不織布、エアレイド不織布、ＳＭＳ不織布等を用いることが好ましい。
【００２４】
吸収体１０は、尿等の排泄物を吸収できる吸収性材料を含むものであれば特に限定されない。吸収体１０としては、例えば、吸収性材料を所定形状に成形した成形体を用いることができる。吸収体１０は、紙シート（例えば、ティッシュペーパーや薄葉紙）や液透過性不織布等のシート部材で覆われてもよい。吸収体１０に含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００２５】
吸収性材料は、尿等の吸収速度を高める点から、親水性繊維を含むことが好ましい。また、吸収容量を高める点からは、吸収性材料は吸水性樹脂を含むことが好ましい。従って、吸収体は親水性繊維（特にパルプ繊維）と吸水性樹脂を含むことが好ましい。この場合、例えば、親水性繊維の集合体に吸水性樹脂を混合または散布したものを用いることが好ましい。
【００２６】
吸収体１０は、シート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００２７】
吸収体１０は、吸収性材料として吸水性繊維を用いたものであってもよい。この場合もまた、吸収体１０を薄型に形成することができる。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００２８】
吸収体１０の形状（平面形状）は特に限定されない。吸収体１０の形状としては、例えば、略長方形、砂時計形、ひょうたん形、羽子板形等が挙げられる。図２では、吸収体１０は砂時計形に形成されている。
【００２９】
吸収性本体７には、幅方向ｘの両側に立ち上がりフラップ１２が設けられることが好ましい。立ち上がりフラップ１２を設けることにより、尿等の排泄物の横漏れを防ぐことができる。立ち上がりフラップ１２は、液不透過性であることが好ましい。立ち上がりフラップ１２が立ち上がった状態の上端部（着用者側の端部）には、起立用弾性部材１３が設けられることが好ましく、起立用弾性部材１３の収縮力により立ち上がりフラップ１２の起立が促される。
【００３０】
外装部材２は、内側シート５と、内側シート５の外面側に配された外側シート６を有することが好ましい。吸収性本体７は内側シート５の肌面側に設けられることが好ましい。内側シート５と外側シート６は、液透過性であっても液不透過性であってもよく、トップシート８やバックシート９に使用可能なシート材料を用いることができる。
【００３１】
おむつ１には、脚開口部４の縁に沿って脚部弾性部材１４，１５が設けられている。具体的には、股部Ｒを横断し、脚開口部４の前側の縁に沿って前側胴部Ｐと後側胴部Ｑの接合部１１まで延びる前側脚部弾性部材１４と、股部Ｒを横断し、脚開口部４の後側の縁に沿って前側胴部Ｐと後側胴部Ｑの接合部１１まで延びる後側脚部弾性部材１５とが設けられている。前側脚部弾性部材１４と後側脚部弾性部材１５は、好ましくは外装部材２に設けられ、外装部材２の内側シート５と外側シート６の間に設けられることがより好ましい。前側脚部弾性部材１４と後側脚部弾性部材１５は、内側シート５および／または外側シート６に接着されることが好ましい。図面では、前側脚部弾性部材１４と後側脚部弾性部材１５が互いに離間して設けられているが、前側脚部弾性部材１４と後側脚部弾性部材１５は互いに接していたり交差していてもよい。
【００３２】
前側脚部弾性部材１４と後側脚部弾性部材１５について、以下、図４を参照して詳しく説明する。図４では、図２に示した展開状態の使い捨てパンツ型おむつ１において、吸収性本体７を取り外し、外装部材２とそこに設けられた前側脚部弾性部材１４と後側脚部弾性部材１５を抜き出して示している。吸収体１０がもともと配されていた部分は点線で表されている。なお、図４において、前側脚部弾性部材１４と後側脚部弾性部材１５は外装部材２を肌面側から見て直接視認できないため、図面上点線で表されている。従って、当該点線のピッチは、断続的に設けられた前側脚部弾性部材１４と後側脚部弾性部材１５のピッチを表すものではない。図２における各種弾性部材についても同様である。
【００３３】
前側脚部弾性部材１４は、次のように３つの部分に区分される。すなわち、前側脚部弾性部材１４は、一方側の脚開口部４の縁に沿って延び、吸収体１０と重ならない前側第１部分１４Ａと、吸収体１０と重なる前側第２部分１４Ｂと、他方側の脚開口部４の縁に沿って延び、吸収体１０と重ならない前側第３部分１４Ｃとを有する。前側脚部弾性部材１４において、前側第２部分１４Ｂは、前側第１部分１４Ａと前側第３部分１４Ｃとの間に位置し、股部Ｒを幅方向ｘに横断する部分となる。
【００３４】
後側脚部弾性部材１５は、次のように３つの部分に区分される。すなわち、後側脚部弾性部材１５は、一方側の脚開口部４の縁に沿って延び、吸収体１０と重ならない後側第１部分１５Ａと、吸収体１０と重なる後側第２部分１５Ｂと、他方側の脚開口部４の縁に沿って延び、吸収体１０と重ならない後側第３部分１５Ｃとを有する。後側脚部弾性部材１５において、後側第２部分１５Ｂは、後側第１部分１５Ａと後側第３部分１５Ｃとの間に位置し、股部Ｒを幅方向ｘに横断する部分となる。
【００３５】
前側脚部弾性部材１４は、前側第１部分１４Ａと前側第３部分１４Ｃが複数箇所で分断されて断続的に設けられている。これによりおむつ１は、着用者の脚回り、特にそけい部での締め付けが緩和され、おむつ着用の際に、脚開口部４回りの着用感を向上することができる。また、このように前側第１部分１４Ａと前側第３部分１４Ｃが複数箇所で分断されて断続的に設けられることにより、当該部分に一定の剛性が付与され、パンツ形状が好適に維持されるようになる。
【００３６】
このように前側脚部弾性部材１４を断続的に設けた場合、おむつ着用の際に、おむつ１の脚開口部４の縁が垂れ下がり、脚を動かすのに邪魔になるおそれがある。そこで、前側第１部分１４Ａと前側第３部分１４Ｃは、接合部１１の近傍部分でより強くテンションがかかるようにしている。具体的には、前側第１部分１４Ａと前側第３部分１４Ｃはそれぞれ、接合部１１から５０ｍｍ以内の部分１６（以下、「接合部近傍部１６」と称する）において、それよりも前側第２部分１４Ｂ側であって幅方向ｘに対して３５°以上の角度で配された傾斜延在部１７よりも、長いピッチで設けられている。このように前側第１部分１４Ａと前側第３部分１４Ｃが形成されることにより、おむつ着用の際に脚開口部４の縁のそけい部近傍が接合部１１に向かって引っ張られ、おむつ１のそけい部での締め付けを軽減しつつ、当該部分でのフィット性を高めることができる。
【００３７】
前側第１部分１４Ａと前側第３部分１４Ｃの接合部近傍部１６および傾斜延在部１７の範囲は、おむつ１の前側胴部Ｐと後側胴部Ｑの接合部１１での接合を解いて展開して完全に広げた状態で規定する。すなわち、このようにおむつ１を展開した状態で、前側脚部弾性部材１４の接合部１１から５０ｍｍ以内の部分を接合部近傍部１６とし、前側脚部弾性部材１４の前側第１部分１４Ａと前側第３部分１４Ｃであって、接合部１１から５０ｍｍを超えて離れ、幅方向ｘに対して３５°以上の角度となる部分を傾斜延在部１７とする。前側脚部弾性部材１４と幅方向ｘとのなす角は０°〜９０°の範囲で定められる。本発明では、これ以外のおむつ１に係る長さや角度も、このようにおむつ１を展開した状態で定められるものとする。
【００３８】
前側脚部弾性部材１４のピッチは、前側脚部弾性部材１４の存在部分、すなわち前側脚部弾性部材１４が分断された残存部分において、おむつ１の幅方向ｘの一方側を始点側、他方側を終点側としたときに、全ての前側脚部弾性部材１４の存在部分の始点側（または終点側）をマーキングし、そのマーキング間隔を測定することにより求めることができる。前側脚部弾性部材１４の接合部近傍部１６と傾斜延在部１７における各ピッチは、それぞれの平均値を意味する。後側脚部弾性部材１５のピッチも同様にして求めることができる。
【００３９】
前側脚部弾性部材１４は、接合部近傍部１６において連続的に設けられていてもよく、断続的に設けられていてもよい。前者の場合、前側脚部弾性部材１４の接合部近傍部１６におけるピッチは５０ｍｍとなる。なお、おむつ１の脚開口部４回りの締め付けを軽減する点からは、前側脚部弾性部材１４は接合部近傍部１６において断続的に設けられることが好ましい。
【００４０】
前側脚部弾性部材１４は、傾斜延在部１７で断続的に設けられることが好ましい。具体的には、前側脚部弾性部材１４は、前側第１部分１４Ａの傾斜延在部１７と前側第３部分１４Ｃの傾斜延在部１７において、それぞれ平均３ｍｍ〜２０ｍｍのピッチで設けられることが好ましい。前側脚部弾性部材１４が傾斜延在部１７においてこのようなピッチで設けられていれば、おむつ１のそけい部での締め付けを軽減しつつ、当該部分に適度な剛性が付与され、おむつ１をパンツ形状に好適に維持しやすくなる。傾斜延在部１７における前側脚部弾性部材１４の平均ピッチは、４ｍｍ以上がより好ましく、５ｍｍ以上がさらに好ましく、また１６ｍｍ以下が好ましく、１２ｍｍ以下がより好ましい。
【００４１】
前側脚部弾性部材１４は、前側第１部分１４Ａと前側第３部分１４Ｃの全体において、それぞれ平均４ｍｍ〜３０ｍｍのピッチで設けられることが好ましい。当該平均ピッチは、５ｍｍ以上がより好ましく、６ｍｍ以上がさらに好ましく、また２５ｍｍ以下がより好ましく、２０ｍｍ以下がさらに好ましく、１６ｍｍ以下がさらにより好ましい。
【００４２】
前側第１部分１４Ａと前側第３部分１４Ｃはそれぞれ、接合部近傍部１６における平均ピッチが傾斜延在部１７における平均ピッチの１．２倍以上であることが好ましく、１．４倍以上がより好ましく、１．６倍以上がさらに好ましい。
【００４３】
前側脚部弾性部材１４は、前側第２部分１４Ｂも複数箇所で分断されて断続的に設けられていることが好ましい。これにより、前側脚部弾性部材１４の収縮力により吸収体１０が歪むことが抑えられ、吸収体１０の着用者の股間へのフィット性を高めることができる。前側脚部弾性部材１４の前側第２部分１４Ｂのピッチは特に限定されない。例えば、前側脚部弾性部材１４の前側第２部分１４Ｂのピッチが、前側第１部分１４Ａの傾斜延在部１７のピッチおよび前側第３部分１４Ｃの傾斜延在部１７のピッチよりも短ければ、前側脚部弾性部材１４による吸収体１０の歪みをより抑えることができる。一方、前側脚部弾性部材１４の前側第２部分１４Ｂのピッチは、前側第１部分１４Ａの傾斜延在部１７のピッチおよび前側第３部分１４Ｃの傾斜延在部１７のピッチよりも長くてもよく、この場合、おむつ１の前側脚部弾性部材１４と吸収体１０とが重なる部分での剛性を高めることができる。前側脚部弾性部材１４は、前側第２部分１４Ｂにおいて、平均３ｍｍ〜３０ｍｍのピッチで設けられることが好ましく、当該ピッチは４ｍｍ以上が好ましく、５ｍｍ以上がより好ましく、また２５ｍｍ以下が好ましく、２０ｍｍ以下がより好ましく、１６ｍｍ以下がさらに好ましい。
【００４４】
前側脚部弾性部材１４を断続的に設ける方法としては、例えば、前側脚部弾性部材１４をおむつ１（特に外装部材２）に接着剤等で固定した後、前側脚部弾性部材１４をカッター刃や押圧凸部等で切断すればよい。この際、前側脚部弾性部材１４は、前側第１部分１４Ａの接合部近傍部１６や傾斜延在部１７、前側第２部分１４Ｂ、前側第３部分１４Ｃの接合部近傍部１６や傾斜延在部１７に応じて、適宜切断ピッチを調整すればよい。例えば、おむつ１（特に外装部材２）を幅方向ｘに搬送しながら連続製造する場合は、カッターロールやエンボスロールを用いて前側脚部弾性部材１４を切断することができるが、この際、カッターロールの刃やエンボスロールの押圧凸部の設置間隔を前側第１部分１４Ａの接合部近傍部１６や傾斜延在部１７、前側第２部分１４Ｂ、前側第３部分１４Ｃの接合部近傍部１６や傾斜延在部１７に応じて適宜設定することで、前側脚部弾性部材１４の各部の切断ピッチを調整することができる。後述するように、後側脚部弾性部材１５を断続的に設ける場合も、同様にして後側脚部弾性部材１５の各部の切断ピッチを調整することができる。
【００４５】
前側脚部弾性部材１４は、前側第２部分１４Ｂの両端において、幅方向ｘに対して３０°以下の角度となるように配されていることが好ましい。このように前側第２部分１４Ｂが配されていれば、前側脚部弾性部材１４の収縮力（具体的には、前側第１部分１４Ａと前側第３部分１４Ｃの前側第２部分１４Ｂに近い部分の収縮力）によって、吸収体１０が幅方向ｘに対して広がるように形成されやすくなる。この場合、前側第１部分１４Ａと前側第３部分１４Ｃはそれぞれ、傾斜延在部１７よりも前側第２部分１４Ｂ側が、傾斜延在部１７よりも長いピッチで設けられていることが好ましく、これにより、前側第１部分１４Ａと前側第３部分１４Ｃの前側第２部分１４Ｂに近い部分の収縮力がより強く発揮されやすくなる。
【００４６】
前側脚部弾性部材１４は複数本並んでおむつ１に配置されていることが好ましい。図面では、前側脚部弾性部材１４は２本並んで配置されているが、３本以上並んで配置されていてもよい。このように前側脚部弾性部材１４が複数本並んで配置され、かつ断続的に設けられることにより、おむつ１は、脚開口部４の縁から広い範囲に適度な剛性が付与され、パンツ形状により好適に維持されやすくなる。
【００４７】
おむつ１は、後側脚部弾性部材１５が、後側第１部分１５Ａと後側第３部分１５Ｃで複数箇所で分断されて断続的に設けられていることが好ましい。これにより、おむつ１の着用者の臀部での締め付けが緩和され、おむつの着用感を向上することができる。また、このように後側第１部分１５Ａと後側第３部分１５Ｃが複数箇所で分断されて断続的に設けられることにより、当該部分に一定の剛性が付与され、パンツ形状が好適に維持されるようになる。
【００４８】
後側第１部分１５Ａと後側第３部分１５Ｃは、接合部１１の近傍部分でより強くテンションがかかるようになっていることが好ましい。具体的には、後側第１部分１５Ａと後側第３部分１５Ｃはそれぞれ、接合部１１から５０ｍｍ以内の部分１８（以下、「接合部近傍部１８」と称する）において、それよりも後側第２部分１５Ｂ側であって幅方向ｘに対して３５°以上の角度で配された傾斜延在部１９よりも、長いピッチで設けられていることが好ましい。このように後側第１部分１５Ａと後側第３部分１５Ｃが形成されることにより、傾斜延在部１９が接合部１１側に引っ張られ、おむつ１の着用者の臀部での締め付けを軽減しつつ、当該部分での着用者の臀部へのフィット性を高めることができる。
【００４９】
後側脚部弾性部材１５は、後側第１部分１５Ａの傾斜延在部１９と後側第３部分１５Ｃの傾斜延在部１９において、それぞれ平均３ｍｍ〜２０ｍｍのピッチで設けられることが好ましい。後側脚部弾性部材１５が傾斜延在部１９においてこのようなピッチで設けられていれば、おむつ１の臀部での締め付けを軽減しつつ、当該部分に適度な剛性が付与され、おむつ１がパンツ形状に好適に維持されやすくなり、おむつ１を後側から見たときの見栄えを良くすることができる。傾斜延在部１９における後側脚部弾性部材１５の平均ピッチは、４ｍｍ以上がより好ましく、５ｍｍ以上がさらに好ましく、また１６ｍｍ以下が好ましく、１２ｍｍ以下がより好ましい。
【００５０】
後側脚部弾性部材１５は、後側第１部分１５Ａと後側第３部分１５Ｃの全体において、それぞれ平均４ｍｍ〜３０ｍｍのピッチで設けられることが好ましい。当該平均ピッチは、５ｍｍ以上がより好ましく、６ｍｍ以上がさらに好ましく、また２５ｍｍ以下がより好ましく、２０ｍｍ以下がさらに好ましく、１６ｍｍ以下がさらにより好ましい。
【００５１】
後側第１部分１５Ａと後側第３部分１５Ｃはそれぞれ、接合部近傍部１８における平均ピッチが傾斜延在部１９における平均ピッチの１．２倍以上であることが好ましく、１．４倍以上がより好ましく、１．６倍以上がさらに好ましい。
【００５２】
後側第１部分１５Ａと後側第３部分１５Ｃの傾斜延在部１９は、前側第１部分１４Ａと前側第３部分１４Ｃの傾斜延在部１７よりも、平均ピッチが短くてもよく、長くてもよく、また同じでもよい。例えば、前側第１部分１４Ａと前側第３部分１４Ｃの傾斜延在部１７の平均ピッチが後側第１部分１５Ａと後側第３部分１５Ｃの傾斜延在部１９の平均ピッチよりも長ければ、おむつ１のそけい部でのフィット性が高められ、当該部分で着用者の肌との間に隙間を生じにくくすることができる。一方、後側第１部分１５Ａと後側第３部分１５Ｃの傾斜延在部１９の平均ピッチが前側第１部分１４Ａと前側第３部分１４Ｃの傾斜延在部１７の平均ピッチよりも長ければ、おむつ１の脚開口部４の縁の臀部での剛性が高められ、当該部分で脚開口部４の縁が捲れたりしにくくなり、おむつ１を後側から見たときの見栄えを良くすることができる。
【００５３】
後側脚部弾性部材１５は、後側第２部分１５Ｂも複数箇所で分断されて断続的に設けられていることが好ましい。これにより、後側脚部弾性部材１５の収縮力により吸収体１０が歪むことが抑えられ、吸収体１０の着用者の股間へのフィット性を高めることができる。後側脚部弾性部材１５の後側第２部分１５Ｂのピッチは特に限定されない。例えば、後側脚部弾性部材１５の後側第２部分１５Ｂのピッチが、後側第１部分１５Ａの傾斜延在部１９のピッチおよび後側第３部分１５Ｃの傾斜延在部１９のピッチよりも短ければ、後側脚部弾性部材１５による吸収体１０の歪みをより抑えることができる。一方、後側脚部弾性部材１５の後側第２部分１５Ｂのピッチは、後側第１部分１５Ａの傾斜延在部１９のピッチおよび後側第３部分１５Ｃの傾斜延在部１９のピッチよりも長くてもよく、この場合、おむつ１の後側脚部弾性部材１５と吸収体１０とが重なる部分での剛性を高めることができる。後側脚部弾性部材１５は、後側第２部分１５Ｂにおいて、平均３ｍｍ〜３０ｍｍのピッチで設けられることが好ましく、当該ピッチは４ｍｍ以上が好ましく、５ｍｍ以上がより好ましく、また２５ｍｍ以下が好ましく、２０ｍｍ以下がより好ましく、１６ｍｍ以下がさらに好ましい。
【００５４】
後側脚部弾性部材１５は、後側第２部分１５Ｂの両端において、幅方向ｘに対して３０°以下の角度となるように配されていることが好ましい。このように後側第２部分１５Ｂが配されていれば、後側脚部弾性部材１５の収縮力（具体的には、後側第１部分１５Ａと後側第３部分１５Ｃの後側第２部分１５Ｂに近い部分の収縮力）によって、吸収体１０が幅方向ｘに対して広がるように形成されやすくなる。この場合、後側第１部分１５Ａと後側第３部分１５Ｃはそれぞれ、傾斜延在部１９よりも後側第２部分１５Ｂ側が、傾斜延在部１９よりも長いピッチで設けられていることが好ましく、これにより、後側第１部分１５Ａと後側第３部分１５Ｃの後側第２部分１５Ｂに近い部分の収縮力がより強く発揮されやすくなる。
【００５５】
後側脚部弾性部材１５は複数本並んでおむつ１に配置されていることが好ましい。図面では、後側脚部弾性部材１５は２本並んで配置されているが、３本以上並んで配置されていてもよい。このように後側脚部弾性部材１５が複数本並んで配置され、かつ断続的に設けられることにより、おむつ１は、脚開口部４の縁から広い範囲に適度な剛性が付与され、パンツ形状により好適に維持されやすくなる。
【００５６】
おむつ１は、図１や図２に示すように、前側胴部Ｐと後側胴部Ｑに、幅方向ｘに延びる複数の胴部弾性部材２０が設けられることが好ましい。胴部弾性部材２０は、ウェスト開口部３と脚開口部４の間に設けられる。胴部弾性部材２０により、着用者の胴回りのフィット性が高められる。なお、胴部弾性部材２０のうち、ウェスト開口部３の縁に沿って前後方向ｙに狭い間隔で設けられる弾性部材を腰部弾性部材２１として設けてもよく、これにより着用者の腰回りに沿ったウェストギャザーが形成され、背中側や腹部側からの尿等の排泄物の漏れが防止される。図１および図２では、腰部弾性部材２１は胴部弾性部材２０よりも前後方向ｙに狭い間隔で設けられている。
【００５７】
胴部弾性部材２０と腰部弾性部材２１は、外装部材２に設けられることが好ましく、内側シート５と外側シート６の間に設けられることがより好ましい。この場合、胴部弾性部材２０と腰部弾性部材２１は、内側シート５および／または外側シート６に接着されることが好ましい。
【００５８】
おむつ１（特に外装部材２）は、ウェスト開口部３の縁に沿って折り返されていてもよい。例えば、外側シート６がウェスト開口部３の縁で内側シート５側に折り返されていてもよい（図示せず）。この場合、腰部弾性部材２１は、折り返された外側シート６間に挟まれて、外側シート６に接着されてもよい。
【００５９】
前側脚部弾性部材１４と後側脚部弾性部材１５が外装部材２に設けられる場合、外装部材２の股部には、弾性部材として前側脚部弾性部材１４と後側脚部弾性部材１５のみが設けられることが好ましい。胴部弾性部材２０は、前側胴部Ｐおよび／または後側胴部Ｑのみに配されることが好ましい。
【００６０】
おむつ１に設けられる各弾性部材としては、ポリウレタン糸、ポリウレタンフィルム、天然ゴム等の通常の使い捨ておむつに用いられる弾性伸縮材料を用いることができる。各弾性部材は、伸張状態でおむつに固定されることが好ましく、また、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【符号の説明】
【００６１】
１：  使い捨てパンツ型おむつ
２：  外装部材
３：  ウェスト開口部
４：  脚開口部
５：  内側シート
６：  外側シート
７：  吸収性本体
８：  トップシート
９：  バックシート
１０：  吸収体
１４：  前側脚部弾性部材
１５：  後側脚部弾性部材
１６，１８：  接合部近傍部
１７，１９：  傾斜延在部
【図１】
2019205545.tif 000003
【図２】
2019205545.tif 000004
【図３】
2019205545.tif 000005
【図４】
2019205545.tif 000006